(57)【要約】      （修正有）【課題】ベースメーク等のように高粘度で隠蔽性や均一性が重視される化粧料であっても、均一な化粧料塗膜を容易に形成できる化粧料塗布具を提供する。【解決手段】化粧料塗布具１Ａが、塗布体１０、塗布体１０を一端部に装着した軸体２０、軸体２０の他端が挿入された外筒３０、外筒３０内に設けられた弾性体４０を有する。塗布体１０を化粧料の被塗布面Ｓで摺動させると、軸体１０が回転しつつ外筒３０内を進退するように軸体２０と外筒３０が螺合し、外筒３０内の弾性体４０が軸体２０の進退に抗する。【選択図】図１Ｂ
2014128494.tif 000002
【特許請求の範囲】
【請求項１】
塗布体、塗布体を一端部に装着した軸体、軸体の他端が挿入された外筒、外筒内に設けられた弾性体を有する化粧料塗布具であって、
塗布体を化粧料の被塗布面で摺動させると、軸体が回転しつつ外筒内を進退するように軸体と外筒が螺合し、
外筒内の弾性体が軸体の進退に抗する化粧料塗布具。
【請求項２】
塗布体の先端部の外形が半球乃至全球状である請求項１記載の化粧料塗布具。
【請求項３】
弾性体のバネ定数が０．０８Ｎ／ｍｍ以上０．２５Ｎ／ｍｍ以下である請求項１又は２
【請求項４】
弾性体として、コイルバネとスポンジが外筒の軸方向に直列に配置されている請求項１又は２記載の化粧料塗布具。
【請求項５】
コイルバネのバネ定数が０．１５Ｎ／ｍｍ以上０．４Ｎ／ｍｍ以下、スポンジが単独発泡体である請求項４記載の化粧料塗布具。
【請求項６】
軸体と外筒の螺合における螺旋のピッチが３０ｍｍ以上５０ｍｍ以下である請求項１〜５のいずれかに記載の化粧料塗布具。
【請求項７】
塗布体が、化粧料の非吸収性材料で形成されている請求項１〜６のいずれかに記載の化粧料塗布具。
【発明の詳細な説明】
【技術分野】
【０００１】
本発明は、化粧料の塗布具に関する。
【背景技術】
【０００２】
ファンデーション等の化粧料は、一般にユーザーがパフを手に持ち、そのパフで化粧料を皮膚で伸ばすことにより塗布されているが、簡便な方法で化粧料を塗布できるようにするため、パフを円筒状に形成して塗布体とし、その塗布体を、ペイントを塗るローラーのように皮膚上で回転させることが提案されている（特許文献１）。
【先行技術文献】
【特許文献】
【０００３】
【特許文献１】特表２０１１−５１６２３４号公報
【発明の概要】
【発明が解決しようとする課題】
【０００４】
しかしながら、円筒状の塗布体を、ペイントを塗るローラーのように使用して化粧料を塗布すると、塗布体の動きが円筒体の回転方向に規制されるので、塗布体は皮膚に対して一方向にのみ動きやすくなる。そのため、そのような塗布体でファンデーション等の化粧料を皮膚に塗布しても、毛穴、小じわ等を隠蔽できるように十分な厚さに化粧料塗膜を形成することが難しく、さらに化粧料の粘度が高くなると化粧料がムラづきしやすくなるという問題もある。
【０００５】
これに対し、本発明が解決しようとする課題は、ベースメーク等のように高粘度で隠蔽性や均一性が重視される化粧料であっても、均一な化粧料塗膜を容易に形成することのできる化粧料塗布具を提供することに関する。
【課題を解決するための手段】
【０００６】
本発明者は、上述の課題の解決のために、塗布体、塗布体を一端部に装着した軸体、軸体の他端が挿入された外筒、外筒内に設けられた弾性体を有する化粧料塗布具であって、
塗布体を化粧料の被塗布面で摺動させると、軸体が回転しつつ外筒内を進退するように軸体と外筒が螺合し、外筒内の弾性体が軸体の進退に抗する化粧料塗布具を提供する。
【発明の効果】
【０００７】
本発明の化粧料塗布具によれば、塗布体を化粧料の被塗布面で摺動させると、軸体が回転しつつ外筒内を進退するので、塗布体を被塗布面上で一方向に動かしただけで化粧料は螺旋を描くように皮膚に塗布される。そのため、化粧料の被塗布面に毛穴や小じわなどの凹みがあっても容易にそれらを隠蔽することができ、また、ムラの無い化粧料塗膜を容易に短時間で形成することができる。
【０００８】
特に、塗布体の先端部の外形を半球乃至全球状とすると、化粧料の被塗布面における塗布体の回転を伴う動きが滑らかとなる。また、半球乃至全球状の塗布体の曲面を化粧料の被塗面として使用することにより、小鼻の脇などのように凹凸形状が入り組んでいる部分でも化粧料を塗布しやすくなる。したがって、均一な化粧料塗膜をより短時間で容易に形成することが可能となる。
【図面の簡単な説明】
【０００９】
【図１Ａ】図１Ａは、実施例の化粧料塗布具１Ａの斜視図である。
【図１Ｂ】図１Ｂは、実施例の化粧料塗布具１Ａの断面図である。
【図２】図２は、実施例の化粧料塗布具１Ａで塗布体を外した状態の断面図である。
【図３】図３は、塗布体表面の凹凸パターンを示す説明図である。
【図４】図４は、実施例の化粧料塗布具１Ａの使用方法の説明図である。
【図５Ａ】図５Ａは、実施例の化粧料塗布具１Ｂの斜視図である。
【図５Ｂ】図５Ｂは、実施例の化粧料塗布具１Ｂの断面図である。
【図６】図６は、実施例の化粧料塗布具１Ｃの断面図である。
【図７】図７は、実施例の化粧料塗布具１Ｄの斜視図である。
【図８】図８は、塗布体の変形態様の斜視図である。
【図９】図９は、塗布体の変形態様の斜視図である。
【図１０】図１０は、塗布体の変形態様の斜視図である。
【図１１】図１１は、塗布体の変形態様の断面図である。
【図１２】図１２は、塗布体の変形態様の側面図である。
【図１３】図１３は、塗布体の変形態様の側面図である。
【図１４】図１４は、塗布体の変形態様の側面図である。
【図１５Ａ】図１５Ａは、実施例の塗布具による化粧料塗布後の肌レプリカの写真である。
【図１５Ｂ】図１５Ｂは、比較例の塗布具による化粧料塗布後の肌レプリカの写真である。
【図１６】図１６は、実施例の化粧料塗布具と比較例の化粧料塗布具で肌に化粧料を塗布した場合の毛穴隠蔽率を示すグラフである。
【図１７】図１７は、実施例の化粧料塗布具と比較例の化粧料塗布具で肌に化粧料を塗布した場合の官能評価を示すグラフである。
【発明を実施するための形態】
【００１０】
以下、図面に基づいて本発明の実施例を具体的に説明する。なお、各図中、同一符号は、同一又は同等の要素を表している。
図１Ａは、本発明の一実施例の化粧料塗布具１Ａの斜視図であり、図１Ｂは、その断面図である。
【００１１】
この化粧料塗布具１Ａは、これにより塗布される化粧料が特に限定されるものではないが、ベースメーク、クリーム状チーク等の高粘度の液状化粧料又はゲル状化粧料の塗布に好適な塗布具であって、塗布体１０と、塗布体１０を一端部に装着した軸体２０、軸体２０の他端が挿入された外筒３０、外筒３０内に設けられた弾性体４０を有している。
【００１２】
塗布体１０は、中空の樹脂成形体で形成され、先端部１１が閉じた筒状で、その先端部１１の外形が半球状となっている。後述するように、化粧料の塗布時に塗布体１０は回転しつつ被塗布面を動くので、塗布体１０の先端部１１の外形を半球状とすることにより、この動きを滑らかにすることができる。また、中空の樹脂成形体である塗布体１０の先端部１１の外形を半球状とすることにより塗布面は弾性を有し、化粧料の塗布時の感触が向上する。なお、ここで半球状とは、必ずしも球の中心角が１８０°の半球に限定されない。塗布体１０を樹脂成形体で形成した場合に、外形が半球状であることによる弾性を利用できればよく、通常、中心角が１００°以上が好ましい。また、楕円球の半球状としてもよく、その場合、長径と短径の比が２以下であることが好ましい。
【００１３】
塗布体１０の基部１２は、軸体２０において径が拡大している大径端部２１に嵌め込まれることより着脱自在に装着されている。図２は、塗布体１０を軸体２０から外した状態の断面図である。塗布体１０を軸体２０に対して着脱自在とすることにより、塗布体１０を軸体２０から外して洗浄することが可能となるので好ましい。
【００１４】
塗布体１０の大きさは、顔等の化粧料の被塗布面への塗布効率の点から、曲率半径が好ましくは０．２５ｃｍ以上、より好ましくは０．７５ｃｍ以上であり、小鼻等の化粧料の被塗布面の表面凹凸に適合する点から、曲率半径が好ましくは２．５ｃｍ以下、より好ましくは１．５ｃｍ以下である。また、塗布体の幅ｗ1は、塗布効率の点から、好ましくは０．５ｃｍ以上、より好ましくは１ｃｍ以上、さらに好ましくは１．５ｃｍ以上であり、小鼻等の化粧料の被塗布面の表面凹凸に適合させる点から、好ましくは５ｃｍ以下、より好ましくは４ｃｍ以下、さらに好ましくは３ｃｍ以下である。
【００１５】
また、本実施例において、塗布体１０は化粧料の非吸収性材料で形成されている。ここで、化粧料が非吸収性であるとは、塗布体１０の表面に化粧料を保持させることはできるが、塗布体１０の表面から中空の内部までは化粧料が通過しないことをいう。塗布体１０を化粧料の非吸収性材料で形成すると、塗布体１０によって化粧料が吸収されないので、化粧料の塗布時に化粧料塗膜が過度に薄く形成されることを防止でき、化粧料塗膜による隠蔽性が向上する。したがって、この化粧料塗布具１Ａは、ベースメークなどのように、毛穴や小じわなどの隠蔽を目的とする化粧料の塗布体として、特に有用となる。
【００１６】
本発明において、塗布体１０の塗布面には微細な凹凸パターンが形成されていることが好ましい。この凹凸パターンとしては、化粧料の被塗布面上で塗布体１０を或る方向に動かした場合に、その動かす方向と交わる方向に複数列のリブ又は溝が形成されていること、即ち、被塗布面上で塗布体１０を動かした場合の、塗布体１０上における被塗布面の相対的な走査方向と、リブ又は溝の伸びた方向とが非平行であることが好ましく、それらの交わる角度が垂直であることがより好ましい。これにより、凹凸パターンが化粧料を塗り広げるブレードとして機能し、化粧料が高粘度であっても均一な厚さの化粧料塗膜を容易に形成することができる。
【００１７】
そこで、図１に示した化粧料塗布具１Ａでは、塗布面の凹凸パターンとして、図３に示すように、塗布体１０の頂部１３を中心とする複数の同心円状の凹凸パターン１４が形成されている。このように凹凸パターン１４を同心円状に形成すると、被塗布面上で、塗布体１０の頂部１３を通る任意の方向（例えば、Ａ1方向、Ａ2方向）に塗布体１０を動かしても、凹凸パターン１４が塗布体１０を動かす方向Ａ1、Ａ2と交わる方向に伸びているので、均一な厚さの化粧料塗膜を容易に形成することができる。
【００１８】
この場合、凹凸パターン１４の大きさとしては、化粧料塗膜を均一に塗布する点から、凸部の幅ｗ2を好ましくは０．１ｍｍ以上２ｍｍ以下、より好ましくは０．１ｍｍ以上１ｍｍ以下とし、ピッチｐを好ましくは０．２ｍｍ以上４ｍｍ以下、より好ましくは０．２ｍｍ以上２ｍｍ以下とし、凸部の高さｈを好ましくは０．１ｍｍ以上１ｍｍ以下、より好ましくは０．１ｍｍ以上０．２ｍｍ以下とする。なお、本発明において凹凸パターンとは塗布体表面における高低差のあるパターンを意味し、凸部の幅ｗ2は、該凸部の両側の凹部の最下点からの高さが、該最下点と凸部最高点との高低差の７０％以上である領域の、凸部と凹部の繰り返し方向における水平距離であり、ピッチｐは、凸部と凹部が一定の繰り返し周期で配列されている場合の繰り返し方向における１周期分の水平距離であり、高さｈは隣接する凸部最高点と凹部最下点との高低差である。
【００１９】
一方、軸体２０は、一方の端部に大径端部２１を有し、他端が外筒３０内に保持されている。図４の(I)に示すように、塗布体１０を化粧料の被塗布面Ｓで摺動させることにより塗布体１０にかかる押圧力Ｆによって軸体２０が回転しつつ外筒３０内を進退するように、軸体２０の表面に螺旋山２２が形成され、外筒３０の内面に螺旋溝３１が形成され、これらは滑らかに螺合している（図１Ｂ）。この場合、塗布体１０を化粧料の被塗布面Ｓで摺動させるときの押圧力Ｆで軸体２０が容易に外筒３０内を進退するように、螺旋のピッチを３０ｍｍ以上５０ｍｍ以下とすることが好ましい。
【００２０】
外筒３０は、外径が塗布体の塗布体１０の幅ｗ1よりも細く、ペンタイプとなっている。外筒３０内の底部には、外筒３０内部への軸体２０の進入に抗する弾性体４０として、コイルバネ４１とスポンジ４２が設けられている。これにより、塗布体１０を被塗布面Ｓで摺動し、軸体２０に押圧力Ｆがかかり、軸体２０が回転しつつ外筒３０内に進入しても、図４の(II)に示すように塗布体１０を被塗布面Ｓから離すことにより軸体２０への押圧力が解除されると、軸体２０と外筒３０の位置関係は進入前の状態に復帰する。
【００２１】
また、軸体２０が外筒３０から抜け出ることを防止するために、外筒３０内にある軸体２０の端部にはフランジ２３が設けられ、外筒３０の上部３２では、外筒３０の内径がフランジ２３の径よりも細くなっている。
【００２２】
したがって、この化粧料塗布具１Ａによれば、図４の(I)に示すように、塗布体１０で化粧料を被塗布面Ｓに塗布するたびに塗布体１０は回転しつつ被塗布面Ｓ上を動く。ここで、被塗布面Ｓと接する塗布体１０の先端部１１内の或る一点Ｐに着目すると、塗布体１０をＡ方向に摺動させたとき、点Ｐは螺旋を描きながら被塗布面Ｓ上をＡ方向に動く。これにより、化粧料は被塗布面上で種々の方向から伸ばされる。したがって、毛穴な小じわ等の凹部を化粧料で埋めて隠蔽することが容易となる、また、塗りムラのない均一な化粧料塗膜を形成することも容易となる。さらにこの塗布体１０の回転機構により、塗布体１０の肌当たりも良好となる。
【００２３】
なお、化粧料の塗布時に塗布体１０をＡ方向と反対方向に摺動させると、外筒３０に対して軸体２０は回転しながら外筒３０から抜け出る方向に動くが、フランジ２３が外筒３０の上部３２で引っかかるので抜け出ることはなく、その状態で化粧料を塗布することができる。
【００２４】
ここで、コイルバネ４１とスポンジ４２を合わせた弾性体４０のバネ定数は、０．０８Ｎ／ｍｍ以上０．２５Ｎ／ｍｍ以下が好ましい。また、コイルバネ４１としては、バネ定数が０．１５Ｎ／ｍｍ以上０．４Ｎ／ｍｍ以下であることが好ましく、スポンジ４２は独立発泡スポンジであることが好ましい。本発明では、弾性体４０として、コイルバネ、板バネ、空気バネ等の単一部材を使用することもできるが、本実施例のように弾性特性の異なる異種材料を直列に配置して使用することにより、肌当たりを良好にすることができるので好ましい。
【００２５】
この化粧料塗布具１Ａの使用方法としては、例えば、肌に適量おいた液状又はゲル状の化粧料を、図４の(I)に示すように、塗布体１０の先端部の半球状の曲面を肌に軽く押しつけて塗布体１０を回転させつつ化粧料を塗り広げ、次に図４の(II)に示すように、塗布体１０を肌から離して塗布体１０を回転前の位置に戻すという操作を繰り返す。
【００２６】
本発明は種々の態様をとることができる。
例えば、化粧料塗布具は塗布体１０を覆うカバーを備えることができる。この場合、カバーをかけた状態で軸体２０が外筒３０内に最も深く進入した状態を維持できることが、化粧料塗布具をコンパクトに収納できる点で好ましい。そこで、例えば、図５Ａ、図５Ｂに示す化粧料塗布具１Ｂのように、外筒３０の上端部３３の外径を軸体２０の大径端部２１の外径と同径にし、軸体２０が外筒３０内に最も進行した状態で外筒３０の上端部３３の凸部３４とカバー５０の切欠部５１とが掛合する掛合機構を設けることができる。
【００２７】
図６に示す化粧料塗布具１Ｃのように、軸体２０に螺旋溝２４を形成し、外筒３０に螺旋山３５を形成することにより軸体２０と外筒３０を螺合させてもよい。
【００２８】
図７に示す化粧料塗布具１Ｄのように、軸体２０の大径端部２１から筒状のスカート２５を外筒３０側に延設し、塗布体１０に付着した化粧料が軸体２０と外筒３０の螺合部分に侵入することを防止してもよい。
【００２９】
塗布体１０の表面には前述の同心円状の凹凸パターン１４に限らず、種々の凹凸パターンを形成することができる。例えば、化粧料へのシェアの賦与による化粧料塗膜の均一化の点から、図８に示すように、塗布体１０の頂部１３を中心とする放射状の凹凸パターン１４を形成してもよい。
【００３０】
塗布体１０の凹凸パターンとしては、方向性のないパターンとしてもよい。例えば、図９に示すように、多数の擦過傷をつけることにより形成される大きさや方向がランダムの凹凸パターンを形成してもよい。擦過傷の深さ、大きさ、密度などを変えることにより、上述のリブと溝の繰り返しパターンよりも均一な化粧料塗膜を形成することが可能となる。また、図１０に示すようにフラクタルとしてもよく、ドットパターン（図示せず）等とすることもできる。なお、フラクタルとは、ある図形の部分と、その図形から成る全体が自己相似になっているものをいう。凹凸パターンをフラクタルとすることにより、ドットパターンとした場合に比して、化粧料のムラ付きを防止することができる。
【００３１】
また、塗布体１０を樹脂で中空に成形する場合に、図１１に示すように、塗布体１０の内側に、エラストマ、発泡樹脂等の弾性材料で中空部分が残るように内層１６を積層してもよく、塗布体１０の中空内部全体をエラストマ、発泡樹脂等の弾性材料で充填してもよい。肌当たりを向上させるの点からは、中空に成形したエラストマの内部全体に連続発泡のスポンジを内包させることが好ましい。
【００３２】
さらに、塗布体１０は、アクリル樹脂等の樹脂成型品、エラストマ、ウレタンゲル、独立気泡スポンジ、連続気泡スポンジ、刷毛などから形成することもできる。
【００３３】
本発明の化粧料塗布具において、塗布体１０の外形としては、回転しつつ化粧料を被塗布体に塗布できる形状であれば、半球状に限られない。
例えば、図１２に示すように、前述の化粧料塗布具１Ａにおいて軸体２０の大径端部２１を省略し、塗布体１０の基部１２を伸ばしてもよい。図１３に示すように、塗布体１０の外形を全球状ないし楕円球状としてもよい。塗布体１０を刷毛で形成する場合に、図１４に示すように、円柱体の角を面取りした形状としてもよい。
【００３４】
外筒３０の外形は手で把持できる形状であればよく、円柱状、多角柱状、短冊板状等とすることができ、塗布体と反対側の端部にはドアノブ状の把持部を設けても良い。
【００３５】
上述した化粧料塗布具の変形態様は種々組み合わせることができる。
【００３６】
本発明の化粧料塗布具は、種々の粘度の化粧料に適用することができるが、特に高粘度の化粧料に適用した場合に、従来の化粧料塗布具では達成できなかった均一な厚さの化粧料塗膜を容易に形成できるので有用である。より具体的には、化粧料の粘度（２５℃）が好ましくは１万ｍＰａ・ｓ以上、より好ましくは３万ｍＰａ・ｓ以上、さらに好ましくは５万ｍＰａ・ｓ以上で、好ましくは１０００万ｍＰａ．ｓ以下、より好ましくは５００万ｍＰａ．ｓ以下、さらに好ましくは１００万ｍＰａ．ｓ以下の高粘度化粧料であっても化粧料をムラ付きさせることなく、均一な厚さに化粧料を塗布することができる。したがって、本発明の化粧料塗布具は、高粘度のファンデーション下地、ファンデーション等を塗布するための塗布具として有用となる。
【００３７】
なお、本発明が塗布する化粧料には、粉体が含まれている場合に特に有用である。粉体が、その全組成中に、好ましくは０．１質量％以上、より好ましくは５質量％以上、また、好ましくは７０質量％以下、より好ましくは６０質量％以下、さらに好ましくは３０質量％以下、含有される化粧料に有用に用いることが出来る。
【００３８】
粉体の粒径分布としては、好ましくは平均粒径が０．１〜５０μｍの球状粉体を、好ましくは０．１質量％以上６０質量％以下、より好ましくは０．５質量％以上３０質量％以下、さらに好ましくは１質量％以上２０質量％以下含む。ここで、粒体の平均粒径は、エタノールを溶媒として、レーザー回折式粒度分布測定器を用いて測定された体積基準平均粒径である。このような粒径分布とすることにより、化粧料塗膜に粉体が埋もれず、かつ、化粧料塗膜の凹凸部に均一に付着しやすいため、毛穴、小じわなどの境界線をぼかして見えにくくすることができる。
【００３９】
また、球状粉体とは、その外形が球状、略球状、回転楕円体を含み、表面凹凸を有するものも含む。特に球状粉体の平均粒径が１μｍ以上であると、使用感も良好になるので好ましい。
【実施例】
【００４０】
以下、実施例に基づいて本発明を具体的に説明する。
実施例１
図１Ａに示した化粧料塗布具１Ａを次の仕様で作製した。
塗布体１０の形成樹脂：アクリル樹脂
塗布体１０の同心円状の表面パターンのピッチｐ：０．２ｍｍ
同心円状の表面パターンの凸部の高さｈ：０．１５ｍｍ
同心円状の表面パターンの凸部の幅ｗ2：０．１ｍｍ
塗布体１０の幅ｗ1：２０ｍｍ
軸体２０と外筒３０の螺合部の螺旋ピッチ：３５ｍｍ
コイルバネ４１のバネ定数：０．１５Ｎ／ｍｍ
スポンジ４２の発泡性状：単独発泡
【００４１】
比較例１
実施例１の化粧料塗布具１Ａにおいて、軸体２０と外筒３０に螺旋を形成せずに固着することにより比較例の化粧料塗布具を作製した。
【００４２】
評価
（１）隠蔽率
球状粉体を含む粘度（２５℃）１０万ｍＰａ・ｓの化粧料を用意し、その０．１ｇを、人頬部から形状を転写した肌レプリカに載せ、実施例１の化粧料塗布具と比較例１の化粧料塗布具をそれぞれ用いて、塗布荷重２０〜６０ｇで１０秒間化粧料を肌に伸ばした。この場合、塗布荷重は、レプリカを電子天秤に載せ、塗布時の荷重推移を観察することにより求めた。実施例１と比較例１の塗布後の写真を図１５Ａ、図１５Ｂに示す。
【００４３】
化粧料を塗布した肌の隠蔽率として、レーザーマイクロスコープにより毛穴部分の深さを測定し、化粧料の塗布前の深さに対する化粧料塗布後の深さの比率を求めた。結果を図１６に示す。同図から、塗布体を摺動させることにより塗布体が回転する実施例１の化粧料塗布具によれば、塗布体が回転しない比較例１の化粧料塗布具に対して化粧料による肌の隠蔽率が高まることを確認できた。
【００４４】
（２）官能評価
化粧品の一般ユーザー、開発者、メイク研修者の合計３名に、実施例１の化粧料塗布具と比較例１の化粧料塗布具をそれぞれ用いて、球状粉体を含む粘度（２５℃）１０万ｍＰａ・ｓの化粧料を頬に塗布してもらい、塗布後の肌の隠蔽性、塗布具の使いやすさ、使用感（肌当たりの柔らかさ）について、それぞれ次の４段階の評価基準でスコア付けをしてもらい、平均を求めた。
【００４５】
スコア５：良い
スコア４：やや良い
スコア３：どちらともいえない
スコア２：やや悪い
スコア１：悪い
【００４６】
結果を図１７に示す。同図から、塗布体を摺動させることにより塗布体が回転する実施例１の化粧料塗布具は、塗布体が回転しない比較例１の化粧料塗布具に対して、隠蔽性、塗布具の使いやすさ、使用感のいずれも優れていることが確認できた。
【符号の説明】
【００４７】
１Ａ、１Ｂ、１Ｃ、１Ｄ    化粧料塗布具
１０    塗布体
１１    塗布体の先端部
１２    塗布体の基部
１３    塗布体の頂部
１４    凹凸パターン
１６    内層
２０    軸体
２１    軸体の大径端部
２２    螺旋山
２３    フランジ
２４    螺旋溝
２５    スカート
３０    外筒
３１    螺旋溝
３２    外筒の上部
３３    外筒の上端部
３４    凸部
３５    螺旋山
４０    弾性体
４１    コイルバネ
４２    スポンジ
５０    カバー
５１    切欠部
Ａ1、Ａ2    方向
Ｆ    押圧力
ｈ    凹凸パターンの凸部の高さ
ｐ    凹凸パターンのピッチ
Ｐ    塗布面内の一点
Ｓ    被塗布面
ｗ1   塗布体の幅
ｗ2   凹凸パターンの凸部の幅
【図１Ａ】
2014128494.tif 000003
【図１Ｂ】
2014128494.tif 000004
【図２】
2014128494.tif 000005
【図３】
2014128494.tif 000006
【図４】
2014128494.tif 000007
【図５Ａ】
2014128494.tif 000008
【図５Ｂ】
2014128494.tif 000009
【図６】
2014128494.tif 000010
【図７】
2014128494.tif 000011
【図８】
2014128494.tif 000012
【図９】
2014128494.tif 000013
【図１０】
2014128494.tif 000014
【図１１】
2014128494.tif 000015
【図１２】
2014128494.tif 000016
【図１３】
2014128494.tif 000017
【図１４】
2014128494.tif 000018
【図１５Ａ】
2014128494.tif 000019
【図１５Ｂ】
2014128494.tif 000020
【図１６】
2014128494.tif 000021
【図１７】
2014128494.tif 000022